(57)【要約】【課題】  簡単な構成により、しかも手間を掛けずに被記録用紙の適正な位置に画像を形成することができる画像形成装置を提供することを目的とする。【解決手段】  被記録用紙Ｐの主走査方向の通紙位置を検出する通紙位置検出手段１２を、用紙搬送手段８内の給紙部６から画像形成手段４に至る間に設置するとともに、制御手段は、通紙位置検出手段１２の検出結果に基づき、記憶部に記憶した画像データの被記録用紙Ｐに対する光走査装置４３の主走査方向の印字書き出し位置を決定し、光走査装置４３の主走査方向の書き出し位置が、決定した位置となるように光走査装置４３を制御する。【選択図】  図１
2006095856.tif 000002
【特許請求の範囲】
【請求項１】
被記録用紙に形成する画像データを記憶する記憶部を有する制御手段と、前記記憶部からの画像データに基づいて光走査装置から光ビームを感光体に走査し、前記被記録用紙に画像を形成する画像形成手段と、前記被記録用紙を給紙部から前記画像形成手段に搬送する用紙搬送手段とを備えた画像形成装置において、
前記被記録用紙の主走査方向の通紙位置を検出する通紙位置検出手段を、前記用紙搬送手段内の前記給紙部から前記画像形成手段に至る間に設置するとともに、前記制御手段は、前記通紙位置検出手段の検出結果に基づき、前記記憶部に記憶した画像データの前記被記録用紙に対する前記光走査装置の主走査方向の印字書き出し位置を決定し、前記光走査装置の主走査方向の書き出し位置が、決定した前記印字書き出し位置となるように前記光走査装置を制御することを特徴とする画像形成装置。
【請求項２】
前記通紙位置検出手段は、前記用紙搬送手段に設けられたレジストローラの下流側近傍に設置されていることを特徴とする請求項１に記載の画像形成装置。
【請求項３】
前記通紙位置検出手段の主走査方向における幅は、前記給紙部に積載された前記被記録用紙の用紙搬送時のセット位置を、中央通紙基準とする場合に、以下の関係式（１）を満たすことを特徴とする請求項１または請求項２に記載の画像形成装置。
Ｌ≧（ＰＬ−ＰＳ）／２＋α  （１）
但し、Ｌは、前記通紙位置検出手段の主走査方向における幅、ＰＬは、前記給紙部に積載される最大の被記録用紙の主走査方向における最大幅、ＰＳは、前記給紙部に積載される最小の被記録用紙の主走査方向における最小幅、αは、前記被記録用紙を用紙搬送手段で搬送する際の主走査方向におけるバラツキ量である。
【請求項４】
前記通紙位置検出手段の主走査方向における幅は、前記給紙部に積載された前記被記録用紙の用紙搬送時のセット位置を、片側通紙基準とする場合に、以下の関係式（２）を満たすことを特徴とする請求項１または請求項２に記載の画像形成装置。
Ｌ≧ＰＬ−ＰＳ＋α  （２）
但し、Ｌは、前記通紙位置検出手段の主走査方向における幅、ＰＬは、前記給紙部に積載される最大の被記録用紙の主走査方向における最大幅、ＰＳは、前記給紙部に積載される最小の被記録用紙の主走査方向における最小幅、αは、前記被記録用紙を用紙搬送手段で搬送する際の主走査方向のバラツキ量である。
【請求項５】
前記通紙位置検出手段の主走査方向における幅は、前記給紙部に積載された前記被記録用紙の用紙搬送時のセット位置を、片側通紙基準とする場合に、以下の関係式（３）を満たすことを特徴とする請求項１または請求項２に記載の画像形成装置。
Ｌ≧α  （３）
但し、Ｌは、前記通紙位置検出手段の主走査方向における幅、αは、前記被記録用紙を用紙搬送手段で搬送する際の主走査方向のバラツキ量である。
【発明の詳細な説明】
【技術分野】
【０００１】
本発明は、ファクシミリ装置、複写機等の被記録用紙に画像を形成する画像形成装置に関し、特に簡単な構成により、しかも手間を掛けずに被記録用紙の適正な位置に画像を形成できるようにしたものである。
【０００２】
一般的に、給紙部のカセット内に積載された定型サイズなどにカットされた被記録用紙を分離搬送し、その被記録用紙に画像データを記録して画像を形成する画像形成装置が知られている。例えば、複写機では、画像読取手段で読取った原稿のページ毎の画像データを、制御手段の記憶部にページ毎に展開し、画像形成手段に搬送されてくる被記録用紙に転写して画像を形成している。被記録用紙は、給紙カセット内において、用紙搬送時における通紙基準となる左右の規制板によって幅方向が規制されたセット位置に積載されている。
【０００３】
また、左右の規制板は、被記録用紙を中央通紙基準（光軸の中心）となるように規制するものと、被記録用紙を片側通紙基準となるように規制するものとがある。被記録用紙を中央通紙基準となるように規制する左右の規制板においては、双方の左右の規制板が被記録用紙の幅方向に移動可能とされており、かつ、一方の規制板の動きに他方の規制板材が連動するようになっている。また、被記録用紙を片側通紙基準となるように規制する左右の規制板においては、一方の規制板は所定位置に固定され、他方の規制板がシート材の幅方向に移動可能とされている。
【０００４】
このような左右の規制板によって規制された被記録用紙は、１枚ずつ分離して中央通紙基準または片側通紙基準で搬送され、画像形成手段において画像が形成された後に装置外に搬出される。
【０００５】
ところが、このような従来の画像形成装置にあっては、給紙カセット内のセット位置は、複写機毎に、製作時の寸法誤差や組立て誤差などにより、被記録用紙をセットするセット位置にずれが生じ、また、被記録用紙の搬送中にずれなどが発生し、これらに起因して記憶部内に展開した画像データの位置、つまり画像データを記録する記録位置に対して被記録用紙を正確に搬送することができず、被記録用紙の適正な位置に画像を形成することができない。
【０００６】
このため、従来では、複写機毎に升目状のラインなどを描いたチャート紙をテスト原稿として実際に運転して画像形成を行い、画像が形成された被記録用紙の画像、即ち、印字ずれを実測し、ずれ量に合わせて、給紙カセットの位置や左右の規制板の位置調整を行っている。しかし、この調整作業は、それ自体煩わしい上に、一度で調整できず、調整状態を確認しながら繰り返し行わなければならず、調整作業が長時間かかるなどという問題があった。
【背景技術】
【０００７】
従来、この対策として、例えば、給紙カセットから記録位置に分離搬送する被記録用紙に記憶部内に展開された画像データを記録し画像を形成するプロッタと、記録紙位置調整モードを選択命令されたとき給紙カセット内の被記録用紙のサイズ情報を取得し、そのサイズに応じた記録可能な範囲を示すコーナマークおよび直線ラインの画像データを作成して記憶部内に展開し、プロッタにより被記録用紙に記録させるシステム制御部と、カセット内に設けられ被記録用紙のセット位置を左右方向に調整する左右の規制板を、設けて構成したものがある（例えば、特許文献１参照）。
【特許文献１】特開平９−３１４９４０号公報
【発明の開示】
【発明が解決しようとする課題】
【０００８】
しかし、上述の特許文献１記載の構成では、被記録用紙のセット位置は、コーナマークおよび直線ラインによる目印に基づいて、左右の規制板を左右方向に動かして調整することはできるが、人手による補正作業が必要である。また、給紙カセットのセット位置に起因する画像ずれは解消できるが、給紙カセットから画像形成手段に至る搬送過程での被記録用紙の通紙位置のずれに起因する画像ずれは解消できない。また、給紙カセットのセット位置の補正作業は、給紙カセットが複数段ある場合、各段について補正作業を行う必要があり、極めて煩わしい。更に、常時、同じサイズの被記録用紙を積載していても、長期間の使用により、各部のバラツキなどが発生するので、一定期間毎に補正作業を行う必要があるなどといった問題がる。
【０００９】
本発明は、上述した課題を解決するためになされたものであり、簡単な構成により、しかも手間を掛けずに被記録用紙の適正な位置に画像を形成することができる画像形成装置を提供することを目的とする。
【課題を解決するための手段】
【００１０】
上記目的を達成するために、請求項１記載の発明では、被記録用紙に形成する画像データを記憶する記憶部を有する制御手段と、記憶部からの画像データに基づいて光走査装置から光ビームを感光体に走査し、被記録用紙に画像を形成する画像形成手段と、被記録用紙を給紙部から画像形成手段に搬送する用紙搬送手段とを備えた画像形成装置において、被記録用紙の主走査方向の通紙位置を検出する通紙位置検出手段を、用紙搬送手段内の給紙部から画像形成手段に至る間に設置するとともに、制御手段は、通紙位置検出手段の検出結果に基づき、記憶部に記憶した画像データの被記録用紙に対する光走査装置の主走査方向の印字書き出し位置を決定し、光走査装置の主走査方向の書き出し位置が、決定した印字書き出し位置となるように光走査装置を制御する。
【００１１】
請求項２記載の発明では、通紙位置検出手段は、用紙搬送手段に設けられたレジストローラの下流側近傍に設置する。
【００１２】
請求項３記載の発明では、通紙位置検出手段の主走査方向における幅は、給紙部に積層された被記録用紙の用紙搬送時のセット位置を、中央通紙基準とする場合に、以下の関係式（１）を満たすようにする。
Ｌ≧（ＰＬ−ＰＳ）／２＋α  （１）
但し、Ｌは、通紙位置検出手段の主走査方向における幅（以下同じ）、ＰＬは、給紙部に積載される最大の被記録用紙の主走査方向における最大幅（以下同じ）、ＰＳは、給紙部に積載される最小の被記録用紙の主走査方向における最小幅（以下同じ）、αは、被記録用紙を用紙搬送手段で搬送する際の主走査方向におけるバラツキ量（以下同じ）である。
【００１３】
請求項４記載の発明では、通紙位置検出手段の主走査方向における幅は、給紙部に積層された被記録用紙の用紙搬送時のセット位置を、片側通紙基準とする場合に、以下の関係式（２）を満たすようにする。
Ｌ≧ＰＬ−ＰＳ＋α  （２）
【００１４】
請求項５記載の発明では、通紙位置検出手段の主走査方向における幅は、給紙部に積層された被記録用紙の用紙搬送時のセット位置を、片側通紙基準とする場合に、以下の関係式（３）を満たすようにする。
Ｌ≧α  （３）
【発明の効果】
【００１５】
請求項１記載の発明の構成によれば、用紙搬送手段内の給紙部から画像形成手段に至る間に設置された通紙位置検出手段により、被記録用紙の主走査方向の通紙位置を検出している。そして、制御手段は、通紙位置検出手段の検出結果に基づき、記憶部に記憶した画像データの被記録用紙に対する光走査装置の主走査方向の印字書き出し位置を決定し、光走査装置の主走査方向の書き出し位置が、決定した印字書き出し位置となるように光走査装置を制御している。従って、被記録用紙の適正な位置に画像を形成することができる。また、この構成は、用紙搬送手段内の給紙部から画像形成手段に至る間に、通紙位置検出手段を設置すればよく、極めて簡単な構成である。しかも、被記録用紙は、単に給紙カセットのセット位置を基準にセットすればよく、左右の規制板を動かすなどと言った補正作業は、不要であり、手間を省くことができる。また、給紙カセット毎の補正作業も不要である。更に、長期間の使用により、各部のバラツキなどが発生しても、補正作業を行う必要がない。
【００１６】
請求項２記載の発明の構成によれば、通紙位置検出手段は、用紙搬送手段に設けられたレジストローラの下流側近傍に設置しているので、給紙カセットから画像形成手段に至る搬送過程で、被記録用紙の通紙位置にずれが生じても、通紙位置検出手段は当該時点における通紙位置を検出し、制御手段に伝達している。従って、給紙カセットから画像形成手段に至る搬送過程での被記録用紙の通紙位置のずれに起因する画像ずれを皆無とすることができる。
【００１７】
請求項３記載の発明の構成によれば、通紙位置検出手段の主走査方向における幅は、給紙部に積層された被記録用紙の用紙搬送時のセット位置を、中央通紙基準とする場合に、上記の関係式（１）を満たすようにしている。従って、通紙位置検出手段の主走査方向における幅Ｌは、給紙部に積載される最大の被記録用紙の主走査方向における最大幅ＰＬの半分以下にとすることができ、通紙位置検出手段を小型化でき、安価にすることができる。
【００１８】
請求項４記載の発明の構成によれば、通紙位置検出手段の主走査方向における幅は、給紙部に積層された被記録用紙の用紙搬送時のセット位置を、片側通紙基準とする場合に、上記の関係式（２）を満たすようにしている。従って、通紙位置検出手段の主走査方向における幅Ｌは、略給紙部に積載される最大の被記録用紙の主走査方向における最大幅ＰＬから給紙部に積載される最小の被記録用紙の主走査方向における最小幅ＰＳを減じた大きさとすることができ、通紙位置検出手段を小型化でき、安価にすることができる。
【００１９】
請求項５記載の発明の構成によれば、通紙位置検出手段の主走査方向における幅Ｌは、給紙部に積層された被記録用紙の用紙搬送時のセット位置を、片側通紙基準とする場合に、上記の関係式（３）を満たすようにしている。従って、通紙位置検出手段の主走査方向における幅Ｌは、被記録用紙を用紙搬送手段で搬送する際の主走査方向におけるバラツキ量の大きさとすることができ、通紙位置検出手段を極めて小型化でき、より安価にすることができる。
【発明を実施するための最良の形態】
【００２０】
（第１実施形態）
以下に、本発明の具体的な実施形態について図１および図２を参照しながら説明する。図１は、本発明の第１実施形態に係る画像形成装置としての複写機の全体構成を示す概略図、図２は、図１に示す複写機の要部を拡大した拡大概略図である。
【００２１】
図１において、複写機１は、原稿を自動的に画像読取手段２に搬送する原稿搬送手段３と、原稿の画像情報を読取る画像読取手段２と、被記録用紙Ｐに画像読取手段２により読取った画像を形成する画像形成手段４と、定着手段５と、被記録用紙Ｐが収納された給紙部６と、被記録用紙Ｐを画像形成手段４、定着手段５を介して排紙部７に搬送する用紙搬送手段８および必要に応じて設けられる両面に画像を形成するための反転搬送手段９などを備えている。
【００２２】
画像読取手段２は、周知の通り、コンタクトガラス上に載置された原稿に、露光ランプから光を照射し、反射鏡を介してその反射光をＣＣＤセンサなどからなる光電変換部に導くことにより、原稿の画像情報を読み取る。
【００２３】
原稿搬送手段３は、原稿を載置するための原稿給紙用トレイ３１と、原稿給紙用トレイ３１に積載された原稿を給紙する原稿給紙ローラと、給紙された原稿を搬送するための原稿給紙用搬送路と、必要に応じて原稿の裏面の画像情報を読込むために原稿を反転するためのスイッチバック搬送路と、読み終えた原稿を、排出する原稿排出部などを備えている。
【００２４】
画像形成手段４は、画像読取手段２の下方に配設され、電子写真プロセスによって、被記録用紙Ｐ上に所定のトナー像を形成するもので、回転可能に軸支された光導電性を有する、例えば、ドラム状の感光体４１と、この感光体４１の周囲に、その回転方向に沿って作像プロセス順に、帯電装置４２、光走査装置４３、現像装置４４、転写部４５と、クリーニング装置４６と、除電ユニット（不図示）とから構成されている。
【００２５】
定着手段５は、画像形成手段４の被記録用紙Ｐの搬送方向の下流側に配置され、画像形成手段４においてトナー像が転写された被記録用紙Ｐを、回転する加熱ローラ５１と、この加熱ローラ５１と共同して押圧・回転する加圧ローラ５２とを備えている。これら一対の加熱ローラ５１と、加圧ローラ５２との間に、未定着トナー像を担持した被記録用紙Ｐを挟持搬送し、加熱、加圧し、未定着トナー像を被記録用紙Ｐ上に定着させる。加熱ローラ５１の内部には、ハロゲンヒータなどからなる熱源５３が設けられ、加熱ローラ５１を加熱するように構成されている。
【００２６】
給紙部６は、複数の給紙カセット６１と、手差し用トレイ６２とを有し、給紙カセット６１あるいは手差し用トレイ６２に積層された被記録用紙Ｐの束を、給紙ローラ６３の回転動作によって最上位の被記録用紙Ｐから１枚ずつ用紙搬送手段８に給紙する。
【００２７】
用紙搬送手段８は、給紙部６から給紙された被記録用紙Ｐを、上下一対のレジストローラ８１および各種ローラ対８２やガイド板８３によって画像形成手段４に搬送する。上下一対のレジストローラ８１は、画像形成手段４の感光体４１に形成されたトナー像と同期を取りながら搬送するように後述する制御手段により制御されている。更に、画像形成手段４において画像形成がなされ、未定着トナー像を担持した被記録用紙Ｐは、用紙搬送手段８により定着手段５に搬送され、定着後、排紙ローラ７１によって装置本体の側部に設けられた、例えば、用紙排出トレイなどからなる排紙部７に排出される。
【００２８】
反転搬送手段９は、被記録用紙Ｐの両面に画像を形成するために、一方の面に画像形成手段４により画像が形成され、定着手段５により定着された被記録用紙Ｐを導入し、スイッチバック搬送路を経由して被記録用紙Ｐを反転し、再度、用紙搬送手段８を介して画像形成手段４に搬入する。
【００２９】
この複写機１の基本的な作動状態を簡単に説明すると、帯電装置４２により図１で時計方向に回転する感光体４１が一様に帯電され、画像読取手段２で読み取られた画像情報に基づいて、例えば、レーザー走査装置などからなる光走査装置４３からのレーザービームなどの光ビームＬＢにより感光体４１上に静電潜像が形成され、現像装置４４により静電潜像に現像剤が付着されてトナー像が形成される。
【００３０】
上記のようにしてトナー像が形成された感光体４１に向けて、給紙部６から被記録用紙Ｐが画像形成手段４に搬送される。このとき、被記録用紙Ｐは、レジストローラ８１により、感光体４１に形成されたトナー像と同期を取りながら用紙搬送手段８により搬送される。その後、画像形成手段４において感光体４１の表面におけるトナー像が被記録用紙Ｐに転写される。そして、未定着トナー像を担持した被記録用紙Ｐは、定着手段５に搬送されてトナー像が定着される。定着手段５を通過した被記録用紙Ｐは、排紙ローラを経て用紙排出トレイなどからなる排紙部７に排出される。そして、転写部４５による転写後に感光体４１は、クリーニング装置４６および除電装置で残留トナー、残留電荷を除去して、必要に応じて再び帯電装置４２で帯電される。
【００３１】
図３は、上述の第１実施形態の複写機１の概略構成を示すブロック図である。複写機１には、画像読取手段２と、原稿搬送手段３と、画像形成手段４と、定着手段５と、給紙部６と、排紙部７と、用紙搬送手段８と、反転搬送手段９と、各種入力キースイッチなどとして機能する操作表示部１０および複写機１全体の制御を司る制御手段１１が備えられている。また、この発明に従い、被記録用紙Ｐの主走査方向の通紙位置を検出する通紙位置検出手段１２が、用紙搬送手段８内の給紙部６から画像形成手段４に至る間、本実施形態では、図１および図２に示すようにレジストローラ８１の下流側近傍に設置されている。
【００３２】
操作表示部１０は、印刷指示入力用のプリントキー、印刷枚数などの入力用のテンキーなどからなる操作部と、複写機１で操作可能な各機能、用紙詰まりなどのトラブル状況などを表示する液晶パネルなどの表示装置とを備えている。
【００３３】
また、制御手段１１には、主演算機能を行う演算部および複写機１の動作制御用のプログラムなどが記憶されたＲＯＭや、各プログラムの作業領域などとして一時的にデータを保管および画像読取手段２で得られた原稿の画像データを、例えば、ページ毎に一時的に記憶するＲＡＭなどからなる記憶部が内蔵されたマイクロコンピュータなどにより構成されている。そして、操作表示部１０の図示しないスタートキーが押圧されると、複写動作を行わせる制御信号を画像読取手段２、原稿搬送手段３、画像形成手段４、定着手段５、給紙部６、排紙部７、用紙搬送手段８、反転搬送手段９および通紙位置検出手段１２などの各ブロックに出力してその動作を制御する。
【００３４】
また、制御手段１１は、本発明に従い後述する通紙位置検出手段１２の検出結果に基づき、記憶部に記憶した画像データの被記録用紙Ｐに対する光走査装置４３の主走査方向の印字書き出し位置を決定し、光走査装置４３の主走査方向の書き出し位置が、決定した印字書き出し位置となるように光走査装置４３を制御する。
【００３５】
しかして、本発明に従い被記録用紙Ｐの主走査方向の通紙位置を検出する、例えば、密着型イメージセンサなどからなる通紙位置検出手段１２が、図１および図２に示すように用紙搬送手段８内の給紙部６から画像形成手段４に至る間、本実施形態では、レジストローラ８１の下流側近傍で、図４に示すように、主走査方向Ｘにおいて、被記録用紙Ｐ（Ｐ１、Ｐ２）の少なくとも片側の通紙位置を検出できるように配設する。図４は、本実施形態の複写機１の被記録用紙Ｐと通紙位置検出手段１２との関係を示す概念図である。
【００３６】
そして、通紙位置検出手段１２の主走査方向における幅Ｌは、給紙部６に積層された被記録用紙Ｐの用紙搬送時のセット位置を、図４に示すように、中央通紙基準（中心線Ｃ）とする場合に、以下の関係式（１）を満たすようにするのが好ましい。なお、図中Ｙは、被記録用紙Ｐの搬送方向を示す。
【００３７】
Ｌ≧（ＰＬ−ＰＳ）／２＋α  （１）
即ち、給紙カセット６１に積載される最大の被記録用紙Ｐ１の主走査方向Ｘにおける幅である最大幅ＰＬから、給紙カセット６１に積載される最小の被記録用紙Ｐ２の主走査方向Ｘにおける幅である最小幅ＰＳを減じ、これの半分（１／２）に被記録用紙Ｐを用紙搬送手段８で搬送する際の主走査方向Ｘにおけるバラツキ量αを加えた値とする。このバラツキ量αは、用紙搬送手段８の長さやスピードなどに異なるが、一般的に３ｍｍ乃至５ｍｍ程度に設定すれば良い。
【００３８】
以上の構成による本実施形態によれば、用紙搬送手段８内の給紙部６から画像形成手段４に至る間に設置された通紙位置検出手段１２により、被記録用紙Ｐの主走査方向の通紙位置を検出している。そして、制御手段１１は、通紙位置検出手段１２の検出結果に基づき、記憶部に記憶した画像データの被記録用紙Ｐに対する光走査装置４３の主走査方向Ｘの印字書き出し位置を決定し、光走査装置４３の主走査方向Ｘの印字書き出し位置が、決定した位置となるように光走査装置４３を制御している。従って、被記録用紙Ｐの適正な位置に画像を形成することができる。また、この構成は、用紙搬送手段８内の給紙部６から画像形成手段４に至る間に、通紙位置検出手段１２を設置すればよく、極めて簡単な構成である。しかも、被記録用紙Ｐは、単に給紙カセット６１のセット位置を基準にセットすればよく、左右の規制板を動かすなどと言った補正作業は、不要であり、手間を省くことができる。また、給紙カセット６１毎の補正作業も不要である。更に、長期間の使用により、各部のバラツキなどが発生しても、補正作業を行う必要がない。
【００３９】
また、通紙位置検出手段１２は、用紙搬送手段８に設けられたレジストローラ８１の下流側近傍に設置しているので、給紙カセット６１から画像形成手段４に至る搬送過程で、被記録用紙Ｐの通紙位置にずれが生じても、通紙位置検出手段１２は当該時点における通紙位置を検出し、制御手段１１に伝達している。従って、給紙カセット６１から画像形成手段４に至る搬送過程での被記録用紙Ｐの通紙位置のずれに起因する画像ずれを皆無とすることができる。
【００４０】
更に、給紙部６に積層された被記録用紙Ｐの用紙搬送時のセット位置を、中央通紙基準とする場合に、通紙位置検出手段１２の主走査方向Ｘにおける幅Ｌを、上記の関係式（１）を満たすようにしている。従って、通紙位置検出手段１２の主走査方向Ｘにおける幅Ｌは、給紙カセット６１に積載される最大の被記録用紙Ｐ１の主走査方向Ｘにおける最大幅ＰＬの半分以下とすることができ、通紙位置検出手段１２を小形かつ安価にすることができる。
【００４１】
また、本実施形態によれば、両面に画像を形成するために反転搬送手段９を設け、反転搬送手段９内に、反転時の被記録用紙Ｐの通紙位置を規制するために、カーソルを設けた場合であっても、該カーソルの通紙位置を調整するためにステッピングモータなどを用いる必要がなく、この種装置の大型化を防止することができる。
【００４２】
（第２実施形態）
次に、本発明の第２実施形態について図５を参照しながら説明する。図５は、本発明の第２実施形態に係る画像形成装置の被記録用紙と通紙位置検出手段との関係を示す概念図である。なお、図５において図４と同じ符号を付した部分は略同一のものを示す。また、同図には被記録用紙Ｐ（Ｐ１、Ｐ２）と、給紙部の給紙カセットに付設される左右の規制板との関係を説明するために、左右の規制板を仮想的に表示している。
【００４３】
本実施形態では、給紙部６に積層された被記録用紙Ｐの用紙搬送時のセット位置を、片側通紙基準、即ち、被記録用紙Ｐを規制する左右の規制板８４、８５の内の固定側の規制板８４を基準に被記録用紙Ｐをセットするようにしたものである。他方の規制板８５は、被記録用紙Ｐの幅方向に移動可能とされている。
【００４４】
そして、通紙位置検出手段１２は、用紙搬送手段８内の給紙部６から画像形成手段４に至る間に配設されている。また、通紙位置検出手段１２の主走査方向における幅Ｌは、図５に示すように、主走査方向Ｘにおいて、被記録用紙Ｐ（Ｐ１、Ｐ２）の片側の通紙位置である、略移動側の規制板８５が移動する範囲の長さを備えている。即ち、以下の関係式（２）を満たすことが好ましい。
【００４５】
Ｌ≧ＰＬ−ＰＳ＋α  （２）
以上の構成による本実施形態によれば、通紙位置検出手段１２の主走査方向Ｘにおける幅Ｌは、給紙部６に積層された被記録用紙Ｐの用紙搬送時のセット位置を、片側通紙基準とする場合に、上記の関係式（２）を満たすようにしている。従って、通紙位置検出手段１２の主走査方向Ｘにおける幅Ｌは、略給紙部に積載される最大の被記録用紙の主走査方向における最大幅ＰＬから給紙部に積載される最小の被記録用紙の主走査方向における最小幅ＰＳを減じた大きさとすることができ、通紙位置検出手段１２を小形、かつ、安価にすることができる。
【００４６】
（第３実施形態）
次に、本発明の第３実施形態について図６を参照しながら説明する。図６は、本発明の第２実施形態に係る画像形成装置の被記録用紙と通紙位置検出手段との関係を示す概念図である。なお、図６において図４および図５と同じ符号を付した部分は略同一のものを示す。また、同図には第２実施形態と同様、被記録用紙Ｐ（Ｐ１、Ｐ２）と、給紙部の給紙カセットに付設される左右の規制板との関係を説明するために、左右の規制板を仮想的に表示している。
【００４７】
本実施形態では、上述の第２実施形態と同様、給紙部６に積層された被記録用紙Ｐの用紙搬送時のセット位置を、片側通紙基準、即ち、被記録用紙Ｐを規制する左右の規制板８４、８５の内の固定側の規制板８４を基準に被記録用紙Ｐをセットするようにしたものである。他方の規制板８５は、被記録用紙Ｐの幅方向に移動可能とされている。
【００４８】
そして、通紙位置検出手段１２は、用紙搬送手段８内の給紙部６から画像形成手段４に至る間に配設されている。また、通紙位置検出手段１２の主走査方向における幅Ｌは、図６に示すように、主走査方向Ｘにおいて、被記録用紙Ｐ（Ｐ１、Ｐ２）の一方の通紙位置である、固定側の規制板８４に対応する部分の通紙位置が検出できるような長さを備えている。即ち、以下の関係式（３）を満たすことが好ましい。
【００４９】
Ｌ≧α  （３）
以上の構成による本実施形態によれば、通紙位置検出手段１２の主走査方向Ｘにおける幅Ｌは、給紙部６に積層された被記録用紙Ｐの用紙搬送時のセット位置を、片側通紙基準とする場合に、上記の関係式（３）を満たすようにしている。従って、通紙位置検出手段１２の主走査方向Ｘにおける幅Ｌは、被記録用紙Ｐを用紙搬送手段８で搬送する際の主走査方向Ｘにおけるバラツキ量の大きさとすることができ、通紙位置検出手段１２を極めて小型化でき、より安価にすることができる。
【００５０】
なお、上述した各実施形態は、本発明の好適な実施形態であるが、本発明はこれに限定されるものではなく、本発明の要旨を逸脱しない範囲において、種々変形実施可能である。
【００５１】
例えば、上述した実施形態では、複写機を例に挙げて説明したが、本発明は、例えば、プリンタ装置、ファクシミリ装置、そしてコピー機能、プリンタ機能、スキャナ機能およびファクシミリ機能などの各種機能を兼ね備えた複合機などに対しても適用可能である。
【００５２】
また、第１実施形態においては、ドラム状の感光体４１を使用しているが、感光体４１の形状には限定はなく、上述したドラム状以外の公知の形状を用いることができる。例えば、シート状、ベルト状、ウェブ状などの形状が挙げられる。
【産業上の利用可能性】
【００５３】
本発明の活用例としては、画像形成手段を備えた画像形成装置が挙げられる。
【図面の簡単な説明】
【００５４】
【図１】本発明の第１実施形態に係る画像形成装置としての複写機の全体構成を示す概略図である。
【図２】図１に示す複写機の要部を拡大した拡大概略図である。
【図３】図１に示す複写機の概略構成を示すブロック図である。
【図４】被記録用紙と通紙位置検出手段との関係を示す概念図である。
【図５】本発明の第２実施形態に係る画像形成装置の被記録用紙と通紙位置検出手段との関係を示す概念図である。
【図６】本発明の第３実施形態に係る画像形成装置の被記録用紙と通紙位置検出手段との関係を示す概念図である。
【符号の説明】
【００５５】
１…複写機（画像形成装置）、４…画像形成手段、６…給紙部、８…用紙搬送手段、１１…制御手段、１２…通紙位置検出手段、４１…感光体、４３…光走査装置、８１…レジストローラ、Ｐ…被記録用紙、Ｐ１…被記録用紙、Ｐ２…被記録用紙、Ｘ…主走査方向、ＬＢ…光ビーム、Ｌ…幅、ＰＬ…最大幅、ＰＳ…最小幅、α…バラツキ量
【図１】
2006095856.tif 000003
【図２】
2006095856.tif 000004
【図３】
2006095856.tif 000005
【図４】
2006095856.tif 000006
【図５】
2006095856.tif 000007
【図６】
2006095856.tif 000008